(57)【特許請求の範囲】
【請求項１】
ダニ誘引物質と、該ダニ誘引物質を含む緩衝材と、該緩衝材を収納した紙製の扁平な箱形状ケースと、を備え、
前記箱形状ケースは、外面から内面に貫通する小穴が多数形成されており、かつ、内部が暗所を形成しており、
前記箱形状ケースの表面には、商品名、使用目的、禁止事項の少なくともいずれかが表示されており、
前記緩衝材は少なくとも綿、布、不織布又は前記小穴よりも大きな粒状体からなり、前記箱形状ケースの内部にほぼ一杯に詰められていること、
を特徴とするダニ捕集紙器。
【請求項２】
前記箱形状ケースの内部に粘着剤が配置されていること、を特徴とする請求項１に記載のダニ捕集紙器。
【請求項３】
前記ケースの内部に乾燥剤が収納されていること、を特徴とする請求項１又は請求項２に記載のダニ捕集紙器。
【発明の詳細な説明】
【技術分野】
【０００１】
本発明は、ダニ捕集紙器、特に、家屋に生息するダニを捕集するための簡易タイプのダニ捕集紙器に関する。
【背景技術】
【０００２】
従来、家屋に生息するダニを捕集するためのマットとして特許文献１，２，３などに記載のものが種々知られている。これらの捕集マットはカーペットやマットレスの下側に設置し、３ヶ月程度経過した後に捕集したダニをマットごと廃棄して駆除している。
【０００３】
ところで、ダニは暗い場所に好んで生息する（背光性）が、前記従来の捕集マットでは、ダニの好む匂いで誘引することはあっても、暗い場所を作り出してダニを誘引することはなかった。また、マット本体の表面に印刷することが困難で使用中のマットの商品名、使用目的、使用方法、禁止事項などが判然とせず、設置の日時などを記すシールを同封したりしている。また、マットを廃棄する時点でダニの糞、死骸、生き残りのダニなどがマットの表面に沢山付着しており、これらが脱落、飛散するおそれが大きい。マットの表面全体に通気性があるため、マットの内外に誘引香の差が少なくマットに入りかけたダニがマットから離反する可能性があるなどの問題点を有していた。
【０００４】
また、特許文献４に記載のダニ捕獲用ケースは、ケース本体を樹脂の成形品で構成したもので、内部が暗所にされている。しかし、樹脂成形品では、製造コストが高くなり、かつ、表面に印刷することが困難であり、印刷の面でもコスト高になってしまう。
【先行技術文献】
【特許文献】
【０００５】
【特許文献１】特許第５１２１２２８号公報
【特許文献２】特開２００６−３３３８４６号公報
【特許文献３】特開２００６−３４０６０６号公報
【特許文献４】特開２００１−１２０１４７号公報
【発明の概要】
【発明が解決しようとする課題】
【０００６】
本発明の目的は、ダニを効果的に誘引できて内部に閉じ込めておくことのできる、また、簡易／安価に製造でき、ケース表面への印刷も安価なダニ捕集紙器を提供することにある。
【課題を解決するための手段】
【０００７】
本発明の一形態であるダニ捕集紙器は、
ダニ誘引物質と、該ダニ誘引物質を含む緩衝材と、該緩衝材を収納した紙製の扁平な箱形状ケースと、を備え、
前記箱形状ケースは、外面から内面に貫通する小穴が多数形成されており、かつ、内部が暗所を形成しており、
前記箱形状ケースの表面には、商品名、使用目的、禁止事項の少なくともいずれかが表示されており、
前記緩衝材は少なくとも綿、布、不織布又は前記小穴よりも大きな粒状体からなり、前記箱形状ケースの内部にほぼ一杯に詰められていること、
を特徴とする。
【０００８】
前記ダニ捕集紙器は、押し入れや引出しの中、カーペットの下などに配置された状態でダニを誘引し、多数の小穴から箱形状ケースの内部に入り込ませて緩衝材の内部に留まらせる。とりわけ、箱形状ケースの内部は暗所を形成しているため、暗部を好む（背光性）ダニが効果的に誘引され、かつ、一旦入り込んだダニは誘引物質の香りと暗がりによって外部に出てくることはない。また、箱形状ケースは紙製であるため、材料費や製造費が安価であり、かつ、表面に商品名や使用目的、使用方法、禁止事項、使用開始日枠などを安価に印刷しておくことができ、使用開始日などを書き込むことも可能である。さらに、小穴もトムソン加工によって任意の大きさ、数に容易、安価に形成できる。
【０００９】
前記ダニ捕集紙器において、小穴は、０．５〜１．５ｍｍ程度の直径を有し、約２．０平方ｍｍ以下であって、穴面積の合計が箱形状ケースの全体面積の約２％以下であることが好ましい。このような面積比の小穴であれば、箱形状ケースの内部の遮光性を損なうことはない。
【００１０】
ダニは不飽和脂肪酸の匂いを好むことから、誘引物質にこれを含むことが好ましい。また、ダニは湿度６０％前後で繁殖などの活動ができなくなり、湿度５０％以下になると死滅してしまう。箱形状ケースの内部や緩衝材に乾燥剤を配置して湿度を５０％前後に維持すれば、入り込んできたダニは繁殖することなく死滅してしまう。さらに、箱形状ケースの内部に粘着剤を配置しておけば、内部に入り込んだダニを粘着してしまうことができる。
【発明の効果】
【００１１】
本発明によれば、ダニを効果的に誘引できて内部に閉じ込めておくことができ、また、簡易／安価に製造でき、ケース表面への印刷も安価である。
【図面の簡単な説明】
【００１２】
【図１】第１実施例であるダニ捕集紙器を示す断面図である。
【図２】紙製の箱形状ケースを示す斜視図である。
【図３】前記箱形状ケースの展開図である。
【図４】第２実施例であるダニ捕集紙器を示す断面図である。
【発明を実施するための形態】
【００１３】
以下に、本発明に係るダニ捕集紙器の実施例について添付図面を参照して説明する。なお、各図において同じ部材、部分には共通する符号を付し、重複する説明は省略する。
【００１４】
（第１実施例、図１−図３参照）
第１実施例であるダニ捕集紙器１Ａは、図１に示すように、概略、粉末状のダニ誘引物質１０と、該ダニ誘引物質１０を含む緩衝材１５と、該緩衝材１５収容した紙製の扁平な箱形状ケース２０と、を備えている。
【００１５】
箱形状ケース２０は、板紙を用いることが好ましいが、合成紙、合成樹脂を含むシート、ダンボールなどであってもよい。箱形状ケース２０は外面から内面に貫通する小穴２５が多数形成されており、かつ、内部が暗所を形成している。
【００１６】
箱形状ケース２０は図２に示す形状に展開して製作される。即ち、上面部２０ａ、底面部２０ｂ、左右の側面部２０ｃ、両端面の蓋部２０ｄ、４隅のフラップ部２０ｅからなる。小穴２５は、底面部２０ｂ、側面部２０ｃに形成されていが、上面部２０ａに形成されていてもよい。
【００１７】
ところで、ダニは不飽和脂肪酸を多く含む物質の匂いを好む性質がある。それゆえ、ダニ誘引物質１０としては、例えば、小麦粉、煮干し粉末、ビスケット粉末などを菜種油などで練り固めた団子状のもの（粉砕した粒状であってもよい）を使用することが好ましい。
【００１８】
緩衝材１５は、綿、ポリエステル綿、布、ガーゼ、柔らかい不織布など通気性を有する素材からなり、箱形状ケース２０の内部にほぼ一杯に詰められている。この緩衝材１５は、折り畳んでダニ誘引物質１０を挟み込み、ダニ誘引物質１０の箱形状ケース２０の内部での拡散を防止するとともに、ダニの通路としても機能する。また、緩衝材１５は、箱形状ケース２０の内部に乾燥剤や粘着剤が収納されるときの押えとしても機能する。なお、緩衝剤１５は、小穴２５よりも大きな粒状体（例えば、もみ殻）や線状体（例えば、わら）であってもよい。
【００１９】
箱形状ケース２０は、紙製であることによって遮光性を備え、内部がダニが好む暗所を形成している。そして、箱形状ケース２０の表面には商品名や使用目的、使用方法、禁止事項、使用開始日枠などを印刷しておくことが好ましい。
【００２０】
以上の構成からなるダニ捕集紙器１Ａは、押し入れや引出しの中、カーペットの下などに配置された状態でダニを誘引し、多数の小穴２５から箱形状ケース２０の内部に入り込ませ、緩衝材１５の内部に留まらせる。箱形状ケース２０の内部は暗所とされているため、背光性のダニが効果的に誘引され、かつ、一旦入り込んだダニは誘引物質１０の香りと暗がりによって外部に出てくることはない。
【００２１】
小穴２５は０．５〜１．５ｍｍ程度の直径を有していることが好ましい。家屋に生息するダニの大半はヒョウダニやコナダニであり、それらは体長が０．２〜０．５ｍｍ、体幅０．０５〜０．２ｍｍと小さく、直径０．２ｍｍ以上の小穴２５であれば容易に入り込むことができる。小穴２５は小さな直径であるので、この捕集ケース１Ａを廃棄する際に、ダニの死骸や糞が外部に脱落、飛散するおそれは殆どない。
【００２２】
さらに、前記の直径を有する小穴２５は約２．０平方ｍｍ以下であって、穴面積の合計が箱形状ケース２０の全体面積の約２％以下であることが好ましい。このような面積比の小穴２５であれば、箱形状ケース２０の内部の遮光性を損なうことはない。
【００２３】
特に、箱形状ケース２０は通気性がそれほど高くない紙製であり、箱形状ケース２０の内外での通気性がほとんど遮断され、一部分の小穴２５のみで通気するため、誘引物質１０が発する誘引香は箱形状ケース２０の内部が強く、外部は格段に弱い。そして、小穴２５から放出される濃厚な誘引香によってダニが小穴２５から箱形状ケース２０の内部に誘導される。暗くて濃密な誘引香の空間に一旦入り込んだダニは、光を嫌うことから、内部から見ると光源となっている小穴２５から出てくることはない。
【００２４】
（第２実施例、図４参照）
第２実施例であるダニ捕集紙器１Ｂは、図４に示すように、綿状の緩衝材１５の内部にダニ誘引物質１０とともに顆粒状の乾燥剤１１（例えはシリカゲル）を混入し、さらに、箱形状ケース２０の天井部に粘着剤１２（例えば両面粘着テープ）を設けたものである。箱形状ケース２０の構成は前記第１実施例と同様である。また、作用効果も基本的に第１実施例と同様である。
【００２５】
ダニは低湿度に弱いことから、箱形状ケース２０の内部に乾燥剤１１を配置することは、捕獲したダニの死滅を促進する点で好ましい。また、ダニは粘着剤１２にて粘着捕獲される。なお、乾燥剤１１は箱形状ケース２０の内部であれば任意の箇所に配置することができる。また、粘着剤１２は箱形状ケース２０の天井部以外の任意の箇所に配置することができる。
【００２６】
（他の実施例）
なお、本発明に係るダニ捕集紙器は前記実施例に限定するものではなく、その要旨の範囲内で種々に変更することができる。
【００２７】
例えば、箱形状ケースの平面形状は、四角形以外に、円形、多角形など任意である。また、誘引物質は誘引匂いを発生するものであれば、種々のものを使用できることは勿論である。さらに、前記第１実施例において乾燥剤を適宜用いてもよい。
【産業上の利用可能性】
【００２８】
以上のように、本発明は、ダニ捕集紙器に有用であり、特に、ダニを効果的に誘引できて内部に閉じ込めておくことができ、また、簡易／安価に製造でき、ケース表面への印刷も安価である点で優れている。
【符号の説明】
【００２９】
１Ａ、１Ｂ…ダニ捕集紙器
１０…誘引物質
１１…乾燥剤
１２…粘着剤
１５…緩衝材
２０…ケース
２５…小穴
【要約】
【課題】ダニを効果的に誘引できて内部に閉じ込めておくことができ、また、簡易／安価に製造でき、ケース表面への印刷も安価なものとすること。
【解決手段】ダニ誘引物質１０と、該ダニ誘引物質１０を含む緩衝材１５と、該緩衝材１５を収納した紙製の扁平な箱形状ケース２０と、を備えたダニ捕集紙器。箱形状ケース２０は、外面から内面に貫通する小穴２５が多数形成されており、かつ、内部が暗所を形成している。緩衝材１５は少なくとも綿、布、不織布又は前記小穴よりも大きな粒状体からなる。
【選択図】図１【図１】
0005499213.tif 000002
【図２】
0005499213.tif 000003
【図３】
0005499213.tif 000004
【図４】
0005499213.tif 000005